(57)【要約】【課題】防護柵の前後方向の幅を抑えるとともに、耐衝撃に対する強度が向上できる防護柵を提供する。【解決手段】インナースリーブ３が筒状の横ビーム２の端部内側に挿入されて、設置面Ｇに間隔をおいて立設された支柱１を前後方向に貫通する取付ボルトＢとナットＮにより、前記インナースリーブ３が支柱１の前側に取付けられているとともに、前記横ビーム２の長手方向の端部の後端縁２２を前記支柱１の前端縁１３より後側に配置するようにする。この様にすれば、上記横ビーム２を支柱１の背面側に寄せて配置することができ、防護柵Ｐの前後方向の幅Ｘをより小さく抑えることができる。【選択図】        図１
2015194031.tif 000002
【特許請求の範囲】
【請求項１】
インナースリーブが筒状の横ビームの端部内側に挿入されて、設置面に間隔をおいて立設された支柱を前後方向に貫通する取付ボルトとナットにより、前記インナースリーブが支柱の前側に取付けられているとともに、前記横ビームの長手方向の端部の後端縁が前記支柱の前端縁より後側に配置されていることを特徴とする防護柵。
【請求項２】
前記インナースリーブが前記支柱の前側面に当接されて取付けられているとともに、インナースリーブの支柱と当接する部分が支柱の形状に対応して凹んで形成されていることを特徴とする請求項１に記載の防護柵。
【請求項３】
前記インナースリーブには、前記取付ボルト頭又はナットが配置される凹部が設けられていることを特徴とする請求項１又は２に記載の防護柵。
【請求項４】
前記インナースリーブはスリーブ本体とカバー材とを備え、前記スリーブ本体に前記取付ボルト頭又はナットが配置されている凹部が設けられているとともに、前記インナースリーブが前記支柱に取付けられた状態において、前記カバー材がスリーブ本体に被せられて、前記スリーブ本体に設けられた凹部が隠蔽され外方から見えない様になされていることを特徴とする請求項３に記載の防護柵。
【請求項５】
前記凹部は、そこに配置されている前記取付ボルト頭又はナットの回動が阻止されるように形成されていることを特徴とする請求項３又は４に記載の防護柵。
【発明の詳細な説明】
【技術分野】
【０００１】
本発明は、道路等に設置される防護柵、特に支柱の前側に横ビームが取付けられている、所謂フロントビームタイプの防護柵に関するものである。
【背景技術】
【０００２】
従来、道路等に設置されるフロントビームタイプの防護柵としては、例えば特許文献１には、その中央部を水平かつ長手方向に対して直角に貫通する工具挿入孔を有するとともに、長手方向の両端部の底部にボルト挿入孔を有している保持部材と、支柱固定ボルトを通す貫通孔を有し、保持部材を支柱に取り付けるための部材であるブラケットと、を備えた横桟取付金具により、横桟が支柱の車道側の側面に上下方向に複数段取付けられているものが開示されている。
【０００３】
このタイプの防護柵においては、支柱の側面にブラケット及び保持部材とを介して横桟を取付けているため、防護柵の前後方向の幅が大きくなり、幅員の狭い道路等においては、その幅員を更に狭くしてしまうことになるので、幅員の狭い道路等に設置するには、好ましいとは言い難い。
【０００４】
一方、本出願人の出願である特許文献２には、間隔を置いて立設された複数の支柱それぞれに形成された挿通孔間に渡される横長状の横材が、該挿通孔から抜け出ることを阻止する防護柵における抜止具であって、前記横材に取付けられる第１部材と、前記支柱に取付けられ、前記第１部材と連結可能な第２部材とを備え、前記第１部材は、前記横材を周方向に抱き込む環状の抱き込み部を備えた防護柵における抜止具を用いて形成されている、隣り合う支柱の対向する側面間に横材が取付けられている、所謂センタービームタイプの防護柵が開示されている。
【０００５】
このタイプの防護柵においては、上記フロントビームタイプの防護柵と比べ、防護柵の前後方向の幅は小さくなされているものの、横材と支柱とがそれ程強固に固定されている訳ではないので、上記フロントビームタイプの防護柵に比べ、外方から加わる衝撃に対する強度は低くなってしまうものであるため、それが設置される場所はそれ程強い衝撃が加わらない所に限定せざるを得ないものであった。
【先行技術文献】
【特許文献】
【０００６】
【特許文献１】特開２００５−２６４５４２号公報
【特許文献２】特開２０１２−５２３２３号公報
【発明の概要】
【発明が解決しようとする課題】
【０００７】
本発明は、防護柵の前後方向の幅を少しでも小さく抑えるとともに、外方から加わる衝撃に対する強度が少しでも向上できる防護柵を提供せんとするものである。
【課題を解決するための手段】
【０００８】
上記目的を達成するために、本発明は次のような構成としている。
すなわち、本発明に係る防護柵は、インナースリーブが筒状の横ビームの端部内側に挿入されて、設置面に間隔をおいて立設された支柱を前後方向に貫通する取付ボルトとナットにより、前記インナースリーブが支柱の前側に取付けられているとともに、前記横ビームの長手方向の端部の後端縁が前記支柱の前端縁より後側に配置されていることを特徴とするものである。
【０００９】
また本発明に係る防護柵は、前記インナースリーブが前記支柱の前側面に当接されて取付けられているとともに、インナースリーブの支柱と当接する部分が支柱の形状に対応して凹んで形成されていることを特徴とするものである。
【００１０】
また本発明に係る防護柵は、前記インナースリーブには、前記取付ボルト頭又はナットが配置される凹部が設けられていることを特徴とするものである。
【００１１】
また本発明に係る防護柵は、前記インナースリーブはスリーブ本体とカバー材とを備え、前記スリーブ本体に前記取付ボルト頭又はナットが配置されている凹部が設けられているとともに、前記インナースリーブが前記支柱に取付けられた状態において、前記カバー材がスリーブ本体に被せられて、前記スリーブ本体に設けられた凹部が隠蔽され外方から見えない様になされていることを特徴とするものである。
【００１２】
また本発明に係る防護柵は、前記凹部は、そこに配置されている前記取付ボルト頭又はナットの回動が阻止されるように形成されていることを特徴とするものである。
【発明の効果】
【００１３】
本発明に係る防護柵によれば、インナースリーブが筒状の横ビームの端部内側に挿入されて、設置面に間隔をおいて立設された支柱を前後方向に貫通する取付ボルトとナットにより、前記インナースリーブが支柱の前側に取付けられているとともに、前記横ビームの長手方向の端部の後端縁が前記支柱の前端縁より後側に配置されているので、横ビームを支柱の背面側に寄せて配置することができ、防護柵の前後方向の幅をより小さく抑えることができる。
【００１４】
また本発明に係る防護柵によれば、前記インナースリーブが前記支柱の前側面に当接されて取付けられているとともに、インナースリーブの支柱と当接する部分が支柱の形状に対応して凹んで形成されているので、横ビームを取付ける取付金具等を介して横ビームを支柱に取付けるタイプの防護柵に比べ、取付金具等を使わない分、防護柵の前後方向の幅を小さく抑えることができるのに加え、インナースリーブが凹んでいる分、防護柵の前後方向の幅をさらに小さく抑えるることができる。
【００１５】
また本発明に係る防護柵によれば、前記インナースリーブには、前記取付ボルト頭又はナットが配置される凹部が設けられているので、前記支柱の前後方向に貫通させた取付ボルトとそれに螺合されるナットとの位置が容易に特定でき、取付ボルトとナットとを螺着する作業を効率的に行うことができる。
【００１６】
また本発明に係る防護柵によれば、前記インナースリーブはスリーブ本体とカバー材とを備え、前記スリーブ本体に前記取付ボルト頭又はナットが配置されている凹部が設けられているとともに、前記インナースリーブが前記支柱に取付けられた状態において、前記カバー材がスリーブ本体に被せられて、前記スリーブ本体に設けられた凹部が隠蔽され外方から見えない様になされているので、前記取付ボルト頭又はナットが横ビームの外方に突出せず、防護柵の周辺を利用する人が手などをぶつけてもケガをすることが軽減され、さらに外観も良好に保つことができる。
【００１７】
また本発明に係る防護柵によれば、前記凹部を、そこに配置されている前記取付ボルト頭又はナットの回動が阻止されるように形成しているので、前記取付ボルトとナットを螺合する作業において、取付ボルト及びナットが一緒に回転する、所謂供回りが発生せず、螺合作業を効率的に行うことができる。
【図面の簡単な説明】
【００１８】
【図１】本発明に係る防護柵の実施の一形態を示す正面図である。
【図２】図１に示す防護柵の要部拡大の平面図である。
【図３】図１に示す防護柵のＡ−Ａ矢視の側面図である。
【図４】図１に示す防護柵のＢ−Ｂ矢視の断面図である。
【図５】図１に示す防護柵を背面側から見た分解斜視図である。
【図６】図１に示す防護柵に用いられているインナースリーブのスリーブ本体を示す、（イ）は斜視図、（ロ）は（イ）の反対側から見た斜視図である。
【図７】図１に示す防護柵に用いられているインナースリーブのカバー材を示す、（イ）は斜視図、（ロ）は（イ）の反対側から見た斜視図である。
【発明を実施するための形態】
【００１９】
次に、本発明を実施するための形態について図面を参照し、具体的に説明する。
なお、本発明に係る明細書及び特許請求の範囲の記載において、設置面に立設された支柱の横ビームが取付けられている側を前側とし、その逆側を後側（又は背面側）とし、横ビームは、支柱に対して左右方向に延設されているというものとする。
【００２０】
図面において、Ｐは本発明に係る防護柵、１は設置面Ｇに間隔をおいて立設された支柱、２は前記支柱１に上下に並行に間隔をあけて２段取付けられている横ビーム、３は前記横ビーム２の端部内側に挿入されているインナースリーブであり、該インナースリーブ３が前記支柱１を前後方向に貫通する取付ボルトＢとナットＮとにより、前記支柱１の前側面１１に当接されて取付けられ、もって前記支柱の前側に横ビーム２が取付けられている。
【００２１】
前記支柱１は、従来の防護柵に用いられているものと同様なものが用いられ、一般には外表面を塗装や合成樹脂で被覆した円形のパイプ材から形成されているものであって、前記横ビーム２も、従来の防護柵に用いられているものと同様なものが用いられ、一般には外表面を塗装や合成樹脂で被覆した長尺の円形パイプ材から形成されている。
【００２２】
前記インナースリーブ３は、スリーブ本体４と該スリーブ本体４に被せられるカバー材５とを備え、前記スリーブ本体４は、円筒状の前記横ビーム２の内径よりやや小さい外径の円形中実の棒状体の一部が切り落とされて縦壁状部４６が形成され、その端部が前記横ビーム２の端部内側に挿入でき、かつ横ビーム２とスリーブ本体４とが大きくガタつかないようになされている。
【００２３】
前記インナースリーブ３を構成するスリーブ本体４及びカバー材５は、安いコストで製作できる合成樹脂を成形したものでもよいが、防護柵Ｐに用いられる部材であるため、上述の通り、衝撃に対する強度が求められることから、アルミニウム合金や鉄合金等、金属製のものが好ましく、形状をある程度自在に成形することができる金属の成形品や鋳造品を用いるのが好ましい。この様に、前記インナースリーブ３（スリーブ本体４及びカバー材５）を金属製の中実形状にすることにより、外方から防護柵Ｐに衝撃が加わった場合であっても、所謂センタービームタイプの防護柵に比べ、強度が向上された防護柵とすることができる。
【００２４】
前記スリーブ本体４の中央部には、前記取付ボルトＢの胴体部Ｂ’を挿通するための前後方向に貫通した貫通孔４１が設けられるとともに、該貫通孔４１の前側が拡径されて、前記取付ボルトＢ頭又はナットＮが配置される凹部４２となされている。
【００２５】
また前記凹部４２は、そこに配置されている前記取付ボルト頭Ｂ”又はナットＮの回動が阻止されるように形成されており、本実施形態においては、前記取付ボルト頭Ｂ”又はナットＮが六角形状であるので、前記凹部４２も、前記取付ボルト頭Ｂ”又はナットＮより少し大きい六角形状の凹部となされ、前記取付ボルト頭Ｂ”又はナットＮを前記凹部４２に嵌め込んで配置することができるとともに、前記取付ボルト頭Ｂ”又はナットＮを回転させて取付ボルトＢとナットＮを螺着する作業を行う際、前記取付ボルトＢとナットＮとが一緒に回転する、所謂供回りが発生することなく、螺合作業を効率的に行うことができるように、前記取付ボルト頭Ｂ”又はナットＮの回動が阻止されるようになされている。
【００２６】
また前記貫通孔４１とそれに連通する凹部４２とが設けられているスリーブ本体４の中央部は、その前面側と背面側とが切り込まれて切り込み部４３が設けられ、それぞれ前側切り込み部４３１と後側切り込み部４３２となされ、その切り込み部４３に上方から前記カバー材５が嵌め込まれて、インナースリーブ３となされている。
【００２７】
また前記スリーブ本体４の両端部には、前記横ビーム２端部の下面側に設けられている横ビーム取付孔２１に対応する位置に、上下方向に貫通した横ビーム固定ボルトＢ１の胴体部Ｂ１’を挿通する挿通孔４４が設けられているとともに、該挿通孔４４の上部が拡径されて、前記横ビーム固定ボルトＢ１と螺着されてインナースリーブ３に横ビーム２を固定するための横ビーム固定ナットＮ１が配置されるビーム固定用凹部４５となされている。
【００２８】
また前記ビーム固定用凹部４５は、前記横ビーム固定ナットＮ１の回動が阻止されるように形成されており、本実施形態においては、前記横ビーム固定ナットＮ１が六角形状であるので、前記ビーム固定用凹部４５も、前記横ビーム固定ナットＮ１より少し大きい六角形状の凹部となされ、前記横ビーム固定ナットＮ１を前記ビーム固定用凹部４５に嵌め込んで配置することができるとともに、前記横ビーム固定ボルト頭Ｂ１”を回転させて前記横ビーム固定ボルトＢ１と横ビーム固定ナットＮ１を螺着する作業を行う際、前記横ビーム固定ボルトＢ１と横ビーム固定ナットＮ１とが一緒に回転する、所謂供回りが発生することなく、螺合作業を効率的に行うことができるように、前記横ビーム固定ナットＮ１の回動が阻止されるようになされている。
【００２９】
前記カバー材５は、上面側の水平壁５１の前後の端部から下方に縦壁５２，５３が突設され、側面視が下方に開口されたコの字状となされるとともに、前記上面側の水平壁５１と前面側の縦壁５２とは前記横ビーム２の外径とほぼ同じ外径となるように、その外側面側が円弧状に形成され、かつ前記カバー材５の背面側の縦壁５３は前記支柱１の前側面１１の形状に対応して凹んで形成されている。
【００３０】
本実施形態においては、前記支柱１が円形であるので、前記カバー材５の背面側の縦壁５３は、その外側面５３１が平面視において円弧状に凹んだ凹面形状となされ、さらにその中央には、前記取付ボルトＢの胴体部Ｂ’が挿通される透孔５３２が設けられている。さらに前記背面側の縦壁５３の内側面５３３には、前記前面側の縦壁５２に向けて突出した段部５３４が設けられて、前記カバー材５を下部の開口している部分から前記スリーブ本体４に嵌め込む際、カバー材５の段部５３４がスリーブ本体４の後側切り込み部４３２に嵌合し、かつカバー材５の前面側の縦壁５２がスリーブ本体４の前側切り込み部４３１に嵌合するようになされている。なお、前記カバー材５の左右の幅は、スリーブ本体４の左右の幅より狭いものとなされており、前記後側切り込み部４３２の左右の幅は、前側切り込み部４３１の左右の幅より狭くなされている。
【００３１】
そして、その凹部４２にナットＮが配置された状態の前記スリーブ本体４に、前記カバー材５が嵌め込まれ、インナースリーブ３の両端部が前記横ビーム２の端部内側に挿入されて、前記支柱１に前後方向に設けられた取付ボルト挿通孔１２と、前記カバー材５の背面側の縦壁５３の透孔５３２と、前記スリーブ本体４の貫通孔４１とに、前記取付ボルトＢを挿通し、前記凹部４２に配置されたナットＮと螺着されて、前記支柱１の前側面１１にインナースリーブ３のカバー材５の背面側の縦壁５３の外側面５３１が当接されて、前記支柱１に前記横ビームが取付けられている。つまり、前記インナースリーブ３が前記支柱１に取付けられた状態においては、前記カバー材５が前記スリーブ本体４に被せられており、前記スリーブ本体４に設けられた凹部４２が隠蔽され外方から見えない様になされている。
【００３２】
また、特に図２，３に示す様に、前記カバー材５の背面側の縦壁５３の外側面５３１が凹面となされていることにより、前記横ビーム２の長手方向の端部の後端縁２２は、前記支柱１の前端縁１３より距離Ｙの寸法分離れて後側（背面側）に配置されるようになされている。これにより、支柱の前端縁に横ビームを取付ける構造となっている防護柵に比べ、少なくとも距離Ｙの寸法分、防護柵Ｐの前後方向の幅Ｘを幅狭くすることができるので、幅員の狭い道路に本発明の防護柵Ｐを設置した場合、少しでも道路幅員を広く残すことができる。
【００３３】
また、前記背面側の縦壁５３の外側面５３１の外径は、前記支柱１の外径より大きくなされ、背面側の縦壁５３の中央から左右端部に向かうに従い、支柱１の前側面１１との間に隙間Ｓが生じるようになされている。これにより、防護柵Ｐを設置する設置面Ｇが水平でなく、傾斜している場合であっても、前記取付ボルトＢを軸にして、インナースリーブ３を傾斜させることができ、したがって、水平な設置面Ｇに用いる防護柵Ｐと同じ部材を用いて、傾斜した設置面Ｇにも本発明の防護柵Ｐを設置することができる。
【００３４】
また上述の実施形態においては、前記スリーブ本体４の凹部４２にナットＮを配置するようにしているが、これに限定されるものではなく、取付ボルト頭Ｂ”を配置するようにしてもよい。この場合は、前記カバー材５の背面側の縦壁５３に設けられている透孔５３２を、背面側の縦壁５３の下端まで延設し、下側に開口された逆Ｕ字孔とするのがよい。また、前記カバー材５をスリーブ本体４の上方から被せるようにしているが、下方から被せるようにしてもよい。
【００３５】
また、前記スリーブ本体４の両端部に設けられているビーム固定用凹部４５については、必ずしも設ける必要はなく、設けない場合には、前記横ビーム２端部の下面側に設けられている横ビーム取付孔２１に対応する横ビーム２端部の上面側に貫通孔を設けて、適宜長さの横ビーム固定ボルトＢ１を前記横ビーム取付孔２１と上面側の貫通孔とスリーブ本体４の挿通孔４４とに挿通し、横ビーム固定ナットＢ１を螺合して、横ビーム２を固定するようにすればよい。
【００３６】
また、本実施形態において、前記支柱１と横ビーム２とは、断面が円形のパイプ材を用いているが、これに限定されるものではなく、断面が正方形や楕円形と言ったパイプ材を用いてもよい。その場合には、前記インナースリーブ３及び前記カバー材５の背面側の縦壁５３の外側面５３１を支柱１と横ビーム２の断面形状に対応するように形成すればよい。
【符号の説明】
【００３７】
１          支柱
１１        前側面
１２        取付ボルト挿通孔
１３        前端縁
２          横ビーム
２１        横ビーム取付孔
２２        後端縁
３          インナースリーブ
４          スリーブ本体
４１        貫通孔
４２        凹部
４３        切り込み部
４３１      前側切り込み部
４３２      後側切り込み部
４４        挿通孔
４５        ビーム固定用凹部
４６        縦壁状部
５          カバー材
５１        上面側の水平壁
５２        前面側の縦壁
５３        背面側の縦壁
５３１      外側面
５３２      透孔
５３３      内側面
５３４      段部
Ｐ          防護柵
Ｂ          取付ボルト
Ｂ’        胴体部
Ｂ”        取付ボルト頭
Ｎ          ナット
Ｂ１        横ビーム固定ボルト
Ｂ１’      胴体部
Ｂ１”      横ビーム固定ボルト頭
Ｎ１        横ビーム固定ナット
Ｇ          設置面
Ｘ          前後方向の幅
Ｙ          距離
Ｓ          隙間
【図１】
2015194031.tif 000003
【図２】
2015194031.tif 000004
【図３】
2015194031.tif 000005
【図４】
2015194031.tif 000006
【図５】
2015194031.tif 000007
【図６】
2015194031.tif 000008
【図７】
2015194031.tif 000009